(57)【要約】【課題】売れる商品が売れるように配置されたチラシ或はカタログを短期間に制作できるようにする。【解決手段】  商品マスターから、チラシ／カタログに掲載する商品を、過去の売り上げ実績を見ながら選んで掲載商品リストを作成し、作成した掲載商品リストをデータベースに登録する手段と、  データベースから掲載商品リストを読み出し、読み出した掲載商品リストから、計画数、目玉商品を決定し、計画数が追記され目玉商品が示された掲載商品リストを作成し、作成した掲載商品リストでデータベースの掲載商品リストを更新する手段と、  データベースから掲載商品リストを読み出し、読み出した掲載商品リストにおける各商品の並び順を必要に応じて変更でき、この並び順と、頁ブロック分けルールとに従って、自動的に、掲載商品リストに含まれる各商品を、チラシ／カタログの各頁の各ブロックに配置する手段とを備えることを特徴とするチラシ／カタログ制作支援装置。【選択図】なし【特許請求の範囲】
【請求項１】
商品マスターから、チラシ／カタログに掲載する商品を、過去の売り上げ実績を見ながら選んで掲載商品リストを作成する機能と、作成した掲載商品リストをデータベースに登録する機能とを有する掲載商品登録手段と、
データベースから掲載商品リストを読み出す機能と、読み出した掲載商品リストから、計画数、目玉商品を決定し、計画数が追記され目玉商品が示された掲載商品リストを作成する機能と、作成した掲載商品リストでデータベースの掲載商品リストを更新する機能とを有する目玉商品・計画数決定手段と、
データベースから掲載商品リストを読み出す機能と、読み出した掲載商品リストにおける各商品の並び順を必要に応じて変更できる機能と、この並び順と、頁ブロック分けルールとに従って、自動的に、掲載商品リストに含まれる各商品を、チラシ／カタログの各頁の各ブロックに配置する機能とを有する頁レイアウト手段とを備えることを特徴とするチラシ／カタログ制作支援装置。
【請求項２】
商品マスターから、チラシ／カタログに掲載する商品を、過去の売り上げ実績を見ながら選んで掲載商品リストを作成し、作成した掲載商品リストをデータベースに登録する掲載商品登録工程と、
データベースから掲載商品リストを読み出し、読み出した掲載商品リストから、計画数、目玉商品を決定し、計画数が追記され目玉商品が示された掲載商品リストを作成し、作成した掲載商品リストでデータベースの掲載商品リスト更新する目玉商品・計画数決定工程と、
データベースから掲載商品リストを読み出し、読み出した掲載商品リストにおける各商品の並び順を必要に応じて変更し、この並び順と、頁ブロック分けルールとに従って、自動的に、掲載商品リストに含まれる各商品を、チラシ／カタログの各頁の各ブロックに配置する頁レイアウト工程とを含むことを特徴とするチラシ／カタログ制作支援方法。
【請求項３】
商品マスターから、チラシ／カタログに掲載する商品を、過去の売り上げ実績を見ながら選んで掲載商品リストを作成する機能と、作成した掲載商品リストをデータベースに登録する機能とを有する掲載商品登録手段と、
データベースから掲載商品リストを読み出す機能と、読み出した掲載商品リストから、計画数、目玉商品を決定し、計画数が追記され目玉商品が示された掲載商品リストを作成する機能と、作成した掲載商品リストでデータベースの掲載商品リスト更新する機能とを有する目玉商品・計画数決定手段と、
データベースから掲載商品リストを読み出す機能と、読み出した掲載商品リストにおける各商品の並び順を必要に応じて変更できる機能と、この並び順と、頁ブロック分けルールとに従って、自動的に、掲載商品リストに含まれる各商品を、チラシ／カタログの各頁の各ブロックに配置する機能とを有する頁レイアウト手段とをコンピュータに実現させることを特徴とするチラシ／カタログ制作支援プログラム。
【発明の詳細な説明】
【技術分野】
【０００１】
本発明は、チラシ又はカタログの制作を支援する技術に関する。
【背景技術】
【０００２】
従来から、チラシの制作を支援する装置として、
商品マスターに含まれている全商品のリスト（以後、掲載候補リストとも云う）から、チラシに掲載する商品を選んで、チラシに掲載する商品のリスト（以後、掲載商品リストとも云う）のデータを作成し、作成した掲載商品リストのデータをデータベースに登録する手段と、
データベースから掲載商品リストのデータを読み出し、この掲載商品リストに含まれる個々の商品について、過去の売上実績と、売上見込金額とを入力し、また、この掲載商品リストに含まれる商品の中から目玉商品を選択して、過去の売上実績と売上見込金額とが追記され目玉商品が示された掲載商品リスト（以後、掲載商品企画リストとも云う）のデータを作成する手段と、
掲載商品企画リストのデータから、掲載商品企画リストをプリントアウトする手段と、
頁ブロック分けルール（チラシの各頁をブロックに分け各ブロックに商品を配置するルール）に従って、チラシの各頁をブロックに分けると共に、この頁ブロック分けルールをプリントアウトする手段と、
データベースから掲載商品リストのデータを読み出し、この掲載商品リストに含まれる各商品を、各ブロックに配置する手段とを備える装置（以後、旧装置とも云う）がある。
【０００３】
旧装置を利用するチラシ制作では、商品部の担当者、企画担当者、紙面担当者、それぞれは、以下のような作業を行う。
【０００４】
まず、商品部の担当者は、掲載候補リストから、経験と勘に基づいて、チラシに掲載する商品を選んで、掲載商品リストのデータを作成し、作成した掲載商品リストのデータをデータベースに登録する。
【０００５】
次に、企画担当者は、データベースから掲載商品リストのデータを読み出し、この掲載商品リストに含まれる個々の商品について、過去の売上実績と、売上見込金額とを入力し、また、この掲載商品リストに含まれる商品の中から目玉商品を選択して、掲載商品企画リストのデータを作成し、作成した掲載商品企画リストのデータを紙面担当者に渡す。ここで、各商品の過去の売上実績の入力は、企画担当者が、各商品の商品コードで、過去の売り上げ実績データベースを検索して行っている。
【０００６】
最後に、紙面担当者は、掲載商品企画リストと頁ブロック分けルールとをプリントアウトし、データベースから掲載商品リストを読み出し、この掲載商品リストに含まれる各商品を、プリントアウトした掲載商品企画リストと頁ブロック分けルールとを見ながら、これら掲載商品企画リストと頁ブロック分けルールとに基づいて、各ブロックに配置する。例えば、目玉商品を、一番目立つブロックに配置する。
【０００７】
従って、旧装置を利用するチラシ制作には、以下のような問題がある。
【０００８】
まず、商品部の担当者は、掲載候補リストから、経験と勘に基づいて、チラシに掲載する商品を選んでいるので、実際に売れる商品が選ばれるとは限らない。
【０００９】
また、企画担当者は、各商品の過去の売上実績の入力を、各商品の商品コードで、過去
の売り上げ実績データベースを検索して行っているので、手間が掛かり、間違った入力をする可能性もある。
【００１０】
また、紙面担当者は、掲載商品企画リストと頁ブロック分けルールとをプリントアウトし、プリントアウトした掲載商品企画リストと頁ブロック分けルールとを見ながら、掲載商品リストに含まれる各商品を各ブロックに配置するので、手間が掛かり、間違った配置をする可能性もある。
【００１１】
尚、チラシ、カタログなどのレイアウトデザイン装置の公知技術としては、例えば、特許文献１に、チラシ紙面をブロックに分割し、そのブロック毎に商品を配置することによりチラシ紙面のレイアウトデザインを行うレイアウトデザイン装置において、ブロックへ商品の配置を指示する指示手段と、指示にしたがって紙面のブロックへ商品データをレイアウトし商品小組を作成する商品小組作成手段と、商品小組を切り出して商品小組ファイルを作成する商品小組ファイル作成手段と、指示に従って紙面ブロックへ商品小組ファイルを貼り付ける商品小組ファイル貼り付け手段と、を備えることを特徴とするレイアウトデザイン装置が記載されている。
【００１２】
しかしながら、特許文献１のレイアウトデザイン装置は、データの変更に応じて変更するデータのみを編集操作、校正等を行えば良いようにすることを目的とするものであって、上記の旧装置を利用するチラシ制作の諸問題を解決するものではない。
【特許文献１】特開２０００−２０５７８号公報
【発明の開示】
【発明が解決しようとする課題】
【００１３】
本発明は斯かる背景技術に鑑みてなされたもので、売れる商品が売れるように配置されたチラシ或はカタログを短期間に制作できるようにすることを課題とする。
【課題を解決するための手段】
【００１４】
本発明において上記課題を達成するために、まず請求項１の発明では、商品マスターから、チラシ／カタログに掲載する商品を、過去の売り上げ実績を見ながら選んで掲載商品リストを作成する機能と、作成した掲載商品リストをデータベースに登録する機能とを有する掲載商品登録手段と、
データベースから掲載商品リストを読み出す機能と、読み出した掲載商品リストから、計画数、目玉商品を決定し、計画数が追記され目玉商品が示された掲載商品リストを作成する機能と、作成した掲載商品リストでデータベースの掲載商品リストを更新する機能とを有する目玉商品・計画数決定手段と、
データベースから掲載商品リストを読み出す機能と、読み出した掲載商品リストにおける各商品の並び順を必要に応じて変更できる機能と、この並び順と、頁ブロック分けルールとに従って、自動的に、掲載商品リストに含まれる各商品を、チラシ／カタログの各頁の各ブロックに配置する機能とを有する頁レイアウト手段とを備えることを特徴とするチラシ／カタログ制作支援装置としたものである。
【００１５】
また請求項２の発明では、商品マスターから、チラシ／カタログに掲載する商品を、過去の売り上げ実績を見ながら選んで掲載商品リストを作成し、作成した掲載商品リストをデータベースに登録する掲載商品登録工程と、
データベースから掲載商品リストを読み出し、読み出した掲載商品リストから、計画数、目玉商品を決定し、計画数が追記され目玉商品が示された掲載商品リストを作成し、作成した掲載商品リストでデータベースの掲載商品リスト更新する目玉商品・計画数決定工程と、
データベースから掲載商品リストを読み出し、読み出した掲載商品リストにおける各商品の並び順を必要に応じて変更し、この並び順と、頁ブロック分けルールとに従って、自動的に、掲載商品リストに含まれる各商品を、チラシ／カタログの各頁の各ブロックに配置する頁レイアウト工程とを含むことを特徴とするチラシ／カタログ制作支援方法としたものである。
【００１６】
また請求項３の発明では、商品マスターから、チラシ／カタログに掲載する商品を、過去の売り上げ実績を見ながら選んで掲載商品リストを作成する機能と、作成した掲載商品リストをデータベースに登録する機能とを有する掲載商品登録手段と、
データベースから掲載商品リストを読み出す機能と、読み出した掲載商品リストから、計画数、目玉商品を決定し、計画数が追記され目玉商品が示された掲載商品リストを作成する機能と、作成した掲載商品リストでデータベースの掲載商品リスト更新する機能とを有する目玉商品・計画数決定手段と、
データベースから掲載商品リストを読み出す機能と、読み出した掲載商品リストにおける各商品の並び順を必要に応じて変更できる機能と、この並び順と、頁ブロック分けルールとに従って、自動的に、掲載商品リストに含まれる各商品を、チラシ／カタログの各頁の各ブロックに配置する機能とを有する頁レイアウト手段とをコンピュータに実現させることを特徴とするチラシ／カタログ制作支援プログラムとしたものである。
【発明の効果】
【００１７】
本発明は、売れる商品が売れるように配置されたチラシ或はカタログを短期間に制作できるという効果がある。
【発明を実施するための最良の形態】
【００１８】
以下に、チラシの制作支援を例に採り、本発明の最良の一実施形態を説明する。尚、カタログの制作支援については、以下の説明の中でチラシをカタログに読み替えれば良い。
【００１９】
１．チラシ制作支援装置
本発明のチラシ制作支援装置は、ハードウエアとしては、例えば、図１に示すように、ＣＰＵ１、バス２、マウス３、キーボード４、メモリ５、カラープリンタ６、ディスプレイ７、補助記憶装置８を備えるコンピュータ装置であっても良い。
【００２０】
補助記憶装置８には、データベースが設置されており、このデータベースに、掲載商品リストが保存される。
【００２１】
また補助記憶装置８には、過去の売り上げ実績データベースが設置されており、この過去の売り上げ実績データベースには、各商品について、過去の売り上げ実績が保存される。
【００２２】
また補助記憶装置８には、商品マスター、頁ブロック分けルールなどが記憶される。
【００２３】
ＣＰＵ１は、ディスプレイ７に、掲載商品登録画面、目玉商品・計画数決定画面、頁レイアウト画面を表示する。掲載商品登録画面、目玉商品・計画数決定画面、頁レイアウト画面は、それぞれ、商品部の担当者、企画担当者、紙面担当者に利用される。
【００２４】
＜掲載商品登録画面＞
掲載商品登録画面は、図２に示すように、折込日を表示する領域１１、掲載候補リストを表示する領域１２、単品過去実績リストと同一カテゴリ商品過去実績リストを表示する領域１３、掲載商品リストを表示する領域１４を有する。
【００２５】
領域１１に表示されている折込日は、チラシを新聞などに折り込む予定日である。
【００２６】
ＣＰＵ１は、補助記憶装置８から、商品マスターに含まれる全商品の情報を読み出して、掲載候補リストとして、領域１２に表示する。領域１２に表示されている掲載候補リストの項目には、例えば、図２に示すように、「商品コード」、「品名」、「価格（円）」がある。
【００２７】
掲載候補リストの中の何れかの商品が、マウス３でクリックされると、ＣＰＵ１は、過去の売り上げ実績データベースから、クリックされた商品の過去の売り上げ実績を読み出して、単品過去実績リストとして、また、クリックされた商品と同一のカテゴリに属する商品の過去の売り上げ実績を読み出して、同一カテゴリ商品過去実績リストとして、図２に示すように、それぞれ領域１３に表示する。図２の例では、掲載候補リストの中で、商品コード１２３４５６７のオレンジジュース（２５０ｍｌ×１２）がクリックされた場合の単品過去実績リストと同一カテゴリ商品過去実績リストとが表示されている。領域１３に表示されている単品過去実績リスト又は同一カテゴリ商品過去実績リストの項目には、例えば、図２に示すように、「商品コード」、「品名」、「価格（円）」、「計画数（千個）」、「計画（百万円）」、「実績（百万円）」、「達成率％」、「折込日」がある。ここで、項目「折込日」の値は、チラシに掲載されて新聞などに折り込まれた過去の日である。また、項目「計画数（千個）」、項目「計画（百万円）」のそれぞれの値は、項目「折込日」の値が示す日に新聞などに折り込まれたチラシに掲載するときに、計画した売り上げ数量と売り上げ金額である。また、項目「実績（百万円）」の値は、項目「折込日」の値が示す日に新聞などに折り込まれたチラシに掲載して、実際に売り上げた金額である。また、項目「達成率％」の値は、項目「計画（百万円）」の値に対する項目「実績（百万円）」の値の百分率である。
【００２８】
掲載候補リストの中の何れかの商品が、掲載商品リストへ、マウス３でドラッグされると、ＣＰＵ１は、ドラッグされた商品を掲載商品リストに追加し、ドラッグされた商品が追加された掲載商品リストを領域１４に表示する。図２の網点の矢印は、掲載候補リストの中で、商品コード１２３４５６７のオレンジジュース（２５０ｍｌ×１２）が掲載商品リストへドラッグされて、この掲載商品リストに追加されたことを示す。領域１４に表示されている掲載商品リストの項目には、例えば、図２に示すように、「商品コード」、「品名」、「価格（円）」、「計画数」、「計画（百万円）」、「過去実績（百万円）」、「過去達成率％」、「目玉商品フラグ」がある。ここで、項目「計画数」、項目「計画（百万円）」のそれぞれの値は、領域１１に表示されている折込日に新聞などに折り込まれる予定のチラシに掲載するに際して、計画する売り上げ数量と売り上げ金額であって、具体的な数値は目玉商品・計画数決定画面で入力される。また、項目「過去実績（百万円）」、項目「過去達成率％」は、それぞれ、単品過去実績リスト又は同一カテゴリ商品過去実績リストの項目「実績（百万円）」と項目「達成率％」に同じものである。また、項目「目玉商品フラグ」は、その値として、目玉商品であることを表す符号（例えば○）の有無で、目玉商品であるか否かを示すもので、この符号は目玉商品・計画数決定画面で入力される。
【００２９】
掲載商品登録画面において、掲載商品リストの登録を命じる入力がマウス３又はキーボード４で行われると、ＣＰＵ１は、領域１４に表示している掲載商品リストを、データベースに登録する。
【００３０】
＜目玉商品・計画数決定画面＞
目玉商品・計画数決定画面は、図３に示すように、折込日を表示する領域２１、掲載候補リストを表示する領域２２、単品過去実績リストと同一カテゴリ商品過去実績リストを表示する領域２３、掲載商品リストを表示する領域２４を有する。
【００３１】
領域２１に表示される折込日、領域２２に表示される掲載候補リスト、領域２３に表示される単品過去実績リストと同一カテゴリ商品過去実績リストは、それぞれ、掲載商品登録画面における、領域１１に表示される折込日、領域１２に表示される掲載候補リスト、領域１３に表示される単品過去実績リストと同一カテゴリ商品過去実績リストとに同じものである。
【００３２】
ＣＰＵ１は、データベースから掲載商品リストを読み出して領域２４に表示する。領域２４に表示される掲載商品リストの項目には、例えば、図３に示すように、「商品コード」、「品名」、「価格（円）」、「計画数（千個）」、「計画（百万円）」、「過去実績（百万円）」、「伸び率％」、「目玉商品フラグ」がある。この内、「伸び率％」以外の項目は、掲載商品登録画面における掲載商品リストの項目と同じものである。項目「伸び率」の値は、項目「過去実績（百万円）」の値に対する項目「計画（百万円）」の値の百分率である。
【００３３】
マウス３又はキーボード４によって項目「計画数（千個）」に数値が入力されると、ＣＰＵ１は、入力された数値に項目「価格」の値を掛けて百万円単位で表した値を、項目「計画（百万円）」の値として表示し、また、項目「計画（百万円）」の値を項目「過去実績（百万円）」の値で割って百を掛けた値を、項目「伸び率％」の値として表示する。
【００３４】
マウス３又はキーボード４によって項目「目玉商品フラグ」に、目玉商品であることを表す符号が入力されると、ＣＰＵ１は、この符号を、項目「目玉商品フラグ」の値として表示する。この符号は、例えば、図３に示すように、○であっても良い。
【００３５】
目玉商品・計画数決定画面において、掲載商品リストの更新を命じる入力がマウス３又はキーボード４で行われると、ＣＰＵ１は、領域１４に表示している掲載商品リストで、データベースに保存されている掲載商品リストを更新する。
【００３６】
＜頁レイアウト画面＞
頁レイアウト画面は、図４に示すように、折込日を表示する領域３１、掲載商品リストを表示する領域３４、画像指示表示ボタン３５、マーク指示表示ボタン３６、自動配置ボタン３７を有する。
【００３７】
領域３１に表示される折込日は、掲載商品登録画面において領域１１に表示される折込日、或は、目玉商品・計画数決定画面において領域２１に表示される折込日と同じである。
【００３８】
ＣＰＵ１は、データベースから掲載商品リストを読み出して領域３４に表示する。領域３４に表示される掲載商品リストの項目には、例えば、図４に示すように、「目玉商品フラグ」、「ランク」、「頁」、「並び順」、「商品コード」、「品名」、「価格（円）」、「計画数（千個）」、「計画（百万円）」、「画像」、「マーク」がある。この内、「ランク」、「頁」、「並び順」、「画像」、「マーク」以外の項目は、掲載商品登録画面又は目玉商品・計画数決定画面における掲載商品リストの項目と同じである。
【００３９】
項目「ランク」の値は、売れるようにチラシの頁上で目立たせるランクを示すものである。マウス３又はキーボード４によって項目「ランク」に、チラシの頁上で目立たせるランクを表す符号が入力されると、ＣＰＵ１は、この符号を、項目「ランク」の値として表示する。この符号は、図４に示すように、例えば、アルファベットであっても良い。
【００４０】
項目「頁」の値は、掲載するチラシの頁を示すものである。
【００４１】
項目「並び順」の値は、掲載商品リストにおける上からの商品の並び順を示すと共に、チラシの頁において商品を配置するブロックを示すものである。マウス３によって、掲載商品リストの中で商品を移動させると、ＣＰＵ１は、その移動に伴って、商品を並び替え、項目「並び順」の値を、並び替え後の並び順に変える。例えば、図４の頁レイアウト画面において、マウス３によって、図５の網点の矢印で示すように、商品コード１２３４５６７のオレンジジュース（２５０ｍｌ×１２）を上から３番目に、商品コード９９９９９９９のリンゴジュース（１Ｌ×３）を上から１番目に、それぞれ移動させると、ＣＰＵ１は、図６に示すように、商品コード９９９９９９９のリンゴジュース（１Ｌ×３）、商品コード１２３４５６７のオレンジジュース（２５０ｍｌ×１２）、商品コード４４４４４４４のリンゴジュース（１８０ｍｌ×２）それぞれを、上から１番目、３番目、４番目に並び替え、それぞれの項目「並び順」の値を、１、３、４に変える。
【００４２】
項目「画像」の値は、商品の画像である。
【００４３】
項目「マーク」の値は、商品をチラシに掲載するときに、この商品に付けるマークを示す。
【００４４】
画像指示表示ボタン３５は、掲載商品リストの中の各商品について、項目「画像」の値を変更するためのものである。マウス３によって、掲載商品リストの中から何れかの商品が選択され、画像指示表示ボタン３５が押されると、ＣＰＵ１は、図７に示すような画像指示画面をディスプレイ７に表示する。図７の画像指示画面は、商品コード４４４４４４４のリンゴジュース（１８０ｍｌ×２）を選択して表示させた場合のものである。図７に示すように、ＣＰＵ１は、領域４１に候補画像を表示する。また、ＣＰＵ１は、領域４２に、掲載商品リストの中から選択された商品の項目「画像」の値を表示する。マウス３によって、候補画像の中の何れかの商品画像が領域４２にドラッグされると、ＣＰＵ１は、領域４２に表示している商品画像を、ドラックされた商品画像に入れ替えると共に、掲載商品リストの中から選択された商品の項目「画像」の値を、領域４２で入れ替えた商品画像に変更して表示する。
【００４５】
マーク指示表示ボタン３６は、掲載商品リストの中の各商品について、項目「マーク」の値を入力又は変更するためのものである。マウス３によって、掲載商品リストの中から何れかの商品が選択され、マーク指示表示ボタン３６が押されると、ＣＰＵ１は、図８に示すようなマーク指示画面をディスプレイ７に表示する。図８に示すように、マーク指示画面には、項目として、「マーク名」、「形状」、「指示」を有するマーク一覧が表示される。項目「マーク名」の値は、マークの名称である。また、項目「形状」の値は、マークの形状である。また項目「指示」の値は、チェックボックスである。マウス３によって、何れかのチェックボックスがチェックされると、ＣＰＵ１は、掲載商品リストの中から選択された商品の項目「マーク」の値が未入力であれば、チェックされたチェックボックスに対応するマークの形状を、この項目「マーク」の値として、入力して表示し、他方、この項目「マーク」の値が既入力であれば、この既入力の値を、このマークの形状に変更して表示する。
【００４６】
自動配置ボタン３７は、掲載商品リストに含まれる各商品を、各商品の項目「並び順」の値と、頁ブロック分けルールとに従って、自動的に、チラシの各頁の各ブロックに配置するためのものである。ここで、頁ブロック分けルールは、図９に示すように、チラシの頁の各ブロックと、各ブロックに配置される商品の項目「並び順」の値とを示すものである。図９の例のルールは、チラシの頁のサイズがＢ４のものである。マウス３によって自動配置ボタン３７が押されると、ＣＰＵ１は、補助記憶装置８から頁ブロック分けルールを読み出し、この頁ブロック分けルールに従って、掲載商品リストに含まれる各商品を、
各商品の項目「並び順」の値に一致する番号を持つ各ブロックに配置した頁画面を、ディスプレイ７に表示する。
【００４７】
２．チラシ制作
以下に、本発明のチラシ制作支援装置を利用して、商品部の担当者、企画担当者、紙面担当者、それぞれが行うチラシ制作に係る作業の流れの例を、図１０のフローチャートに従って説明する。
【００４８】
ＳＴＥＰ１；掲載商品の登録
商品部の担当者は、図２に示すような、掲載商品登録画面を開く。このとき、ＣＰＵ１は、補助記憶装置８から、商品マスターに含まれる全商品の情報を読み出して、掲載候補リストとして、領域１２に表示する。
【００４９】
商品部の担当者は、マウス３で、掲載候補リストの中の何れかの商品をクリックする。すると、ＣＰＵ１は、過去の売り上げ実績データベースから、クリックされた商品の過去の売り上げ実績を読み出して、単品過去実績リストとして、また、クリックされた商品と同一のカテゴリに属する商品の過去の売り上げ実績を読み出して、同一カテゴリ商品過去実績リストとして、図２に示すように、それぞれ領域１３に表示する。
【００５０】
商品部の担当者は、単品過去実績リスト及び同一カテゴリ商品過去実績リストの項目「達成率」の値を見て、最も計画を達成した商品を、マウス３で掲載候補リストから掲載商品リストへドラッグする。すると、ＣＰＵ１は、ドラッグされた商品を掲載商品リストに追加し、ドラッグされた商品が追加された掲載商品リストを領域１４に表示する。図３の例では、単品過去実績リスト及び同一カテゴリ商品過去実績リストの中で、最も計画を達成した商品が商品コード１２３４５６７のオレンジジュース（２５０ｍｌ×１２）なので、これが掲載商品リストに追加されている。
【００５１】
商品部の担当者は、マウス３又はキーボード４で、掲載商品リストの登録を命じる入力をする。すると、ＣＰＵ１は、領域１４に表示している掲載商品リストを、データベースに登録する。
【００５２】
ＳＴＥＰ２；目玉商品・計画数の決定
企画担当者は、図３に示すような、目玉商品・計画数決定画面を開く。このとき、ＣＰＵ１は、データベースから掲載商品リストを読み出して、図３に示すように、領域２４に表示する。
【００５３】
企画担当者が、マウス３又はキーボード４で、掲載商品リストに含まれる各商品について、項目「計画数（千個）」の値を入力すると、ＣＰＵ１が、項目「計画（百万円）」、項目「伸び率％」、それぞれの値を計算して表示するので、企画担当者は、項目「伸び率％」の値が１００以上になるように、項目「計画数（千個）」の値を入力する。
【００５４】
企画担当者は、掲載商品リストに含まれる各商品について、項目「価格（円）」、項目「過去実績（百万円）」、それぞれの値を見て、価格が安く、過去の売上実績金額が高い商品を目玉商品に決め、この商品の項目「目玉商品フラグ」の値として、目玉商品であることを表す○を、マウス３又はキーボード４で入力する。すると、ＣＰＵ１は、この商品の項目「目玉商品フラグ」の値として、目玉商品であることを表す○を表示する。図３の目玉商品・計画数決定画面では、商品コード９９９９９９９のリンゴジュース（１Ｌ×３）が、価格が安く、過去の売上実績金額が高いので、この商品の項目「目玉商品フラグ」の値として、目玉商品であることを表す○が入力されている。
【００５５】
企画担当者は、マウス３又はキーボード４で、掲載商品リストの更新を命じる入力をする。すると、ＣＰＵ１は、領域１４に表示している掲載商品リストで、データベースに保存されている掲載商品リストを更新する。
【００５６】
ＳＴＥＰ３；ランクの決定
紙面担当者は、図４に示すような、頁レイアウト画面を開く。このとき、データベースから掲載商品リストを読み出して領域３４に表示する。
【００５７】
紙面紙面担当者は、掲載商品リストに含まれる各商品について、項目「目玉商品」フラグ、項目「計画数（千個）」、項目「計画（百万円）」、それぞれの値を見て、売れるようにチラシの頁上で目立たせるランクを決め、このランクを表すアルファベットを、項目「ランク」の値として、マウス３又はキーボード４で入力する。すると、ＣＰＵ１は、このランクを表すアルファベットを、項目「ランク」の値として表示する。図４の頁レイアウト画面では、例えば、商品コード１２３４５６７のオレンジジュース（２５０ｍｌ×１２）は、項目「計画（百万円）」の値が高いので、項目「ランク」の値としてＡが入力されている。
【００５８】
ＳＴＥＰ４；頁内並び順の決定
紙面担当者は、頁レイアウト画面において、掲載商品リストに含まれる各商品について、項目「目玉商品フラグ」、項目「ランク」、項目「ランク」、項目「画像」、それぞれの値を見ながら、掲載商品リストにおいて、目玉商品やランクの高い商品がより上に位置し、また、瓶、パックなど、商品のパッケージの種類が同じであるものが、まとまって並ぶように、マウス３で各商品を移動させる。すると、ＣＰＵ１は、その移動に伴って、商品を並び替え、項目「並び順」の値を、並び替え後の並び順に変える。
【００５９】
例えば、図４の頁レイアウト画面において、商品コード９９９９９９９のリンゴジュース（１Ｌ×３）は、項目「目玉商品フラグ」の値が○で、項目「ランク」の値がＡであるので、図５の網点の矢印で示すように、紙面担当者は、マウス３で、商品コード９９９９９９９のリンゴジュース（１Ｌ×３）を、掲載商品リストの一番上に移動させる。また、商品コード１２３４５６７のオレンジジュース（２５０ｍｌ×１２）と、商品コード４４４４４４４のリンゴジュース（１８０ｍｌ×２）とは、それぞれの項目「画像」の値から、紙パックの商品であることが分かるので、紙パック同士でまとめるために、図５の網点の矢印で示すように、紙面担当者は、マウス３で、商品コード１２３４５６７のオレンジジュース（２５０ｍｌ×１２）を、掲載商品リストの上から３番目に移動させる。すると、ＣＰＵ１は、図６に示すように、商品コード９９９９９９９のリンゴジュース（１Ｌ×３）、商品コード１２３４５６７のオレンジジュース（２５０ｍｌ×１２）、商品コード４４４４４４４のリンゴジュース（１８０ｍｌ×２）それぞれを、上から１番目、３番目、４番目に並び替え、それぞれの項目「並び順」の値を、１、３、４に変える。
【００６０】
ＳＴＥＰ５；画像登録
紙面担当者は、頁レイアウト画面において、掲載商品リストに含まれる各商品について、項目「画像」の値を見て、商品画像が正しいかを確認する。
【００６１】
正しくない商品画像が確認された場合、紙面担当者は、マウス３で、掲載商品リストから、その商品画像を項目「画像」の値として持つ商品を選択して、画像指示表示ボタン３５を押す。すると、ＣＰＵ１は、図７に示すような画像指示画面をディスプレイ７に表示する。図７の画像指示画面は、商品コード９９９９９９９のリンゴジュース（１Ｌ×３）を選択した場合のものである。
【００６２】
紙面担当者は、マウス３で、候補画像の中から、正しい商品画像を選んで領域４２にド
ラックする。すると、ＣＰＵ１は、領域４２に表示している商品画像を、ドラックされた商品画像に入れ替えると共に、掲載商品リストの中から選択された商品の項目「画像」の値を、領域４２で入れ替えた商品画像に変更して表示する。
【００６３】
例えば、図６の頁レイアウト画面において、商品コード９９９９９９９のリンゴジュース（１Ｌ×３）を選択して、図７に示す画像指示画面を開き、図１１に示すように、候補画像から商品画像４３を選び領域４２にドラッグすると、ドラッグした商品画像４３が、領域４２に表示されている商品画像と入れ替わると共に、図１２に示すように、商品コード９９９９９９９のリンゴジュース（１Ｌ×３）の項目「画像」の値が商品画像４３に変更されて表示される。
【００６４】
ＳＴＥＰ６；マーク登録
紙面担当者は、頁レイアウト画面において、掲載商品リストに含まれる各商品について、項目「マーク」の値を見て、新たにマークを付けるか或は付け替える必要のある商品があるかを確認する。
【００６５】
新たにマークを付けるか或は付け替える必要のある商品がある場合、紙面担当者は、マウス３で、掲載商品リストの中から、その必要のある商品を選択して、マーク指示表示ボタン３６を押す。すると、ＣＰＵ１は、図８に示すようなマーク指示画面をディスプレイ７に表示する。
【００６６】
紙面担当者は、掲載商品リストの中から選択した商品に付けようと思うマークのチェックボックスを、マウス３でチェックする。すると、ＣＰＵ１は、掲載商品リストの中から選択された商品の項目「マーク」の値が未入力であれば、チェックされたチェックボックスに対応するマークの形状を、この項目「マーク」の値として、入力して表示し、他方、この項目「マーク」の値が既入力であれば、この既入力の値を、このマークの形状に変更して表示する。
【００６７】
例えば、図１２の頁レイアウト画面において、商品コード９９９９９９９のリンゴジュース（１Ｌ×３）を選択して、図８に示すマーク指示画面を開き、図１３に示すように、目玉２というマーク名のマークのチェックボックスをチェックすると、商品コード９９９９９９９のリンゴジュース（１Ｌ×３）の項目「マーク」の値が、図１４に示すように、目玉２というマーク名のマークの形状に変更されて表示される。
【００６８】
ＳＴＥＰ７；頁への商品自動配置
紙面担当者は、頁レイアウト画面において、マウス３で、自動配置ボタン３７を押すと、ＣＰＵ１は、補助記憶装置８から頁ブロック分けルールを読み出し、この頁ブロック分けルールに従って、掲載商品リストに含まれる各商品を、各商品の項目「並び順」の値に一致する番号を持つ各ブロックに配置した頁画面を、ディスプレイ７に表示する。
【００６９】
例えば、頁ブロック分けルールが、図９に示すＢ４（４×７）頁分けルールである場合、図１４に示す頁レイアウト画面において、自動配置ボタンを押すと、図１５に示す頁画面が、ディスプレイ７に表示される。
【図面の簡単な説明】
【００７０】
【図１】本発明のチラシ制作支援装置のハードウエア構成例を示す図。
【図２】掲載商品登録画面の例を示す図。
【図３】目玉商品・計画数決定画面の例を示す図。
【図４】頁レイアウト画面の例を示す図。
【図５】頁レイアウト画面の例を示す図。
【図６】頁レイアウト画面の例を示す図。
【図７】画像指示画面の例を示す図。
【図８】マーク指示画面の例を示す図。
【図９】頁ブロック分けルールの例を示す図。
【図１０】本発明のチラシ制作支援装置を利用して、商品部の担当者、企画担当者、紙面担当者、それぞれが行うチラシ制作に係る作業の流れの例を示すフローチャート。
【図１１】画像指示画面の例を示す図。
【図１２】頁レイアウト画面の例を示す図。
【図１３】マーク指示画面の例を示す図。
【図１４】頁レイアウト画面の例を示す図。
【図１５】頁画面の例を示す図。
【符号の説明】
【００７１】
１…ＣＰＵ
２…バス
３…マウス
４…キーボード
５…メモリ
６…カラープリンタ
７…ディスプレイ
８…補助記憶装置
１１…領域
１２…領域
１３…領域
１４…領域
２１…領域
２２…領域
２３…領域
２４…領域
３１…領域
３４…領域
３５…画像指示表示ボタン
３６…マーク指示表示ボタン
３７…自動配置ボタン
４１…領域
４２…領域
４３…商品画像
【図１】
2007316708.tif 000002
【図２】
2007316708.tif 000003
【図３】
2007316708.tif 000004
【図４】
2007316708.tif 000005
【図５】
2007316708.tif 000006
【図６】
2007316708.tif 000007
【図７】
2007316708.tif 000008
【図８】
2007316708.tif 000009
【図９】
2007316708.tif 000010
【図１０】
2007316708.tif 000011
【図１１】
2007316708.tif 000012
【図１２】
2007316708.tif 000013
【図１３】
2007316708.tif 000014
【図１４】
2007316708.tif 000015
【図１５】
2007316708.tif 000016